(57)【要約】      （修正有）【課題】ＣＭ（コマーシャル）を有する民間放送のテレビ番組を録画再生する場合、視聴者はＣＭをカットしたいと考えることが多いが、ＣＭカットを完全に行うことは困難である。また、録画再生時にＣＭカットされることは民間放送にとっては重大で、視聴者にＣＭを見て貰わなければ経営が成立しない民間放送とＣＭ無しの映像コンテンツを保存して再生したい視聴者の条件を共に満足させるソリューションを提供する。【解決手段】視聴者はＣＭ付きテレビ番組を観た証を示した後で、有料あるいは無料で放送テレビ番組のＣＭの位置に関するＧＯＰならびに映像フレームの情報を民間放送から取得する。ＣＭ位置情報をビデオレコーダーでの再生時の制御信号として利用することによりＣＭを抑圧したテレビ番組を視聴、あるいはＣＭカットした映像コンテンツを作製することにより、視聴者は一度以上ＣＭ付きテレビ番組を観た後は、ＣＭ無しの映像コンテンツを享受できる。【選択図】図１
2011250380.tif 000002
【特許請求の範囲】
【請求項１】
ＣＭを有する民間放送のデジタルテレビ番組を録画・再生するに当たり、事前に放送局に番組の位置情報を示す録画・再生制御信号を受信し、ビデオレコーダにおいて該情報をもとにＣＭ部分をスキップすることにより、ＣＭ部分を抑圧して再生することを特徴とするテレビＣＭカットシステム
【請求項２】
請求項１において、視聴者が録画再生制御信号を有料あるいは無料で受信するに当たり、テレビ番組の本編およびＣＭの内容に関する問いに答えることにより、視聴者が番組を視聴したことを確認することを特徴とするテレビＣＭカットシステム
【請求項３】
請求項１において、高能率符号化されたデジタル映像信号の最初の映像フレームが含まれるＧＯＰの同期信号とコンテンツ内容の最初の部分から構成される番組スタート信号と番組の最初のＧＯＰで最初の映像フレーム番号、および最初の映像フレームからカウントして、各ＣＭ部分の始めと終わりの映像フレームのＧＯＰ番号とＧＯＰ内の映像フレーム番号の情報を有する録画再生制御信号を利用することを特徴とするテレビＣＭカットシステム
【請求項４】
請求項１において、ビデオレコーダで録画再生制御信号を利用して録画再生するに当たり、番組の最初のＧＯＰを検出し、ＣＭだけから成るＧＯＰを、録画再生制御信号を利用してスキップし、高能率復号化を行い、さらに、映像バッファメモリで本編とＣＭが混在しているＧＯＰでＣＭの映像フレームをスキップしてＤＡコンバータを介してディスプレイに表示することを特徴とするテレビＣＭカットシステム
【請求項５】
請求項１において、請求項４において、ＤＡコンバータを介してディスプレイに表示するとともに、スキップしたデジタル映像信号を高能率符号化し、ＣＭをカットした映像コンテンツを作製することを特徴とするテレビＣＭカットシステム
【発明の詳細な説明】
【技術分野】
【０００１】本発明は民間放送のデジタルテレビ番組のＣＭを制御して録画再生するシステムに関する。
【背景技術】
【０００２】  ＣＭ（コマーシャル）を有する民間放送のテレビ番組を録画再生するに当たり、視聴者はＣＭをカットしたいと考えている場合が多い。このような要求に対応するため、ビデオレコーダの製造メーカはＣＭをカットする機能をビデオレコーダに組み入れている。しかし、ＣＭ部分の検出はモノラルとステレオ、音声２ケ国語放送等の制御信号の検出をベースとしているため、場合によっては検出できない場合、あるいは誤った検出を行う場合があり、ＣＭカットを完全に行うことは困難である。
また、デジタル放送ではＭＰＥＧ（Ｍｏｖｉｎｇ  Ｐｉｃｔｕｒｅ  Ｅｘｐｅｒｔ  Ｇｒｏｕｐ）方式による高能率符号化（帯域圧縮）が施されており、映像フレーム単位だけでなく、複数の映像フレームから成るＧＯＰ（Ｇｒｏｕｐ  Ｏｆ  Ｐｉｃｔｕｒｅ）単位で構成されている。そのため、本編とＣＭの境界部分では本編とＣＭの映像フレームが混在するハイブリッドＧＯＰが存在する。そのため、ＣＭカットをＧＯＰ単位で行うビデオレコーダではＣＭが一部残って再生されるか、あるいは本編の一部の映像フレームがカットされて再生されないという課題がある。【０００３】  また、民間放送はＣＭを放送することによってスポンサーからスポンサー料を得るというビジネスモデルで経営が成立している。それ故、録画再生時にＣＭがカットされることは民間放送にとってはビジネスの根幹を否定されるという重大な経営上の課題である。そのため、民間放送とビデオレコーダの製造メーカとの間でＣＭカットを巡って葛藤が生じるなどの社会的な課題を生じている。
【発明の概要】
【発明が解決しようとする課題】
【０００４】  スポンサーからＣＭの放送によってビジネスが成立している民間放送にとって、視聴者がＣＭをカットして録画されたテレビ番組を視聴することはビジネスの根幹を否定されるという基本的な課題がある。【０００５】  一方、ビデオレコーダでＣＭに関する必要充分は情報なしにＣＭ部分を完全にカットすることは、そのＣＭ検知のメカニズムから実現困難である、【０００６】  デジタルテレビ放送番組で複数の映像フレームから構成されるＧＯＰを単位で構成される高能率符号化されたテレビ放送番組を映像フレーム単位で処理することは困難であるという課題がある。
【課題を解決するための手段】
【０００７】  以上の諸課題を解決するためには基本的な発想の転換を行う必要である。即ち、視聴者にＣＭを見て貰わなければ経営が成立しない民間放送とＣＭ無しの映像コンテンツとして保存して再生したい視聴者の条件を共に満足させるソリューションを見出すことである。
そのため、視聴者が一度以上ＣＭ付きのテレビ番組を観た後には、ＣＭ無しの映像コンテンツとして享受することを可能にすることである。これを可能にするためには、視聴者はＣＭ付きテレビ番組を観た証を示した後で、有料あるいは無料で放送テレビ番組のＣＭの位置に関する情報を民間放送から取得し、該ＣＭ位置情報をビデオレコーダ−での再生時の制御信号として利用することにより、ＣＭを抑圧してテレビ番組を視聴すること、あるいはＣＭカットした映像コンテンツを作製することが可能となる。【０００８】  視聴者がＣＭ位置情報を放送局から取得する場合、視聴者はＰＣ（パーソナルコンピュータ）等を利用して、民間放送局のサイトとの遣り取りでＣＭ位置情報を取得する。
この場合、視聴者が所有するビデオレコーダのみでＣＭ無しで再生することを前提とする。そこで、該ビデオレコーダのＩＤ情報（例えば製品番号等）を放送局に送信する必要がある。
また、ＣＭ無しの再生を可能とする条件として、視聴者がＣＭ付きのテレビ番組を一度以上視聴したことを前提とする必要がある。そのため、例えばＣＭ位置情報に当たって、該当するテレビ放送番組を指定し、該テレビ放送番組の内容（本編、ＣＭ）に関する質問に回答し、その回答が正解であることをＣＭ位置情報の提供の条件とする。
また、ＣＭ位置情報の提供を安価な料金で提供するか、あるいは詳細で難解な質問に対して正解を答えた場合には無料にするなどのサービス提供形態が考えられる。【０００９】  提供するテレビ番組のＣＭ位置情報の提供に当たっては、現在のデジタル放送の高能率符号化（帯域圧縮）方式であるＭＰＥＧを前提としているため、映像フレームの情報だけでは実現できず、ＧＯＰに関する情報が必要となる。
従って、ＣＭ抑圧録画再生に必要なＣＭ位置情報には以下の情報が必要となる。
▲１▼  番組のスタート信号
−ＧＯＰの同期信号＋コンテンツの冒頭部分の信号
▲２▼  各ＣＭ部分の初期部分の信号
−各ＣＭ部分の初期映像フレームを含むＧＯＰ番号（スタート信号からカウ              ント）
−各ＣＭ部分の初期映像フレームを含むＧＯＰ番号での映像フレーム番号
▲３▼  各ＣＭ部分の終了部分の信号
−各ＣＭ部分の終了映像フレームを含むＧＯＰ番号（スタート信号からカウ              ント）
−各ＣＭ部分の終了映像フレームを含むＧＯＰ番号での映像フレーム番号【００１０】  ビデオレコーダで再生する場合、まず、取得したＣＭ位置情報をビデオレコーダにインプットし、その情報を用いて番組の先頭ＧＯＰを検出する。先頭ＧＯＰから番組情報を読み出すが、ＣＭ位置情報を利用してＣＭだけで構成されるＧＯＰをスキップする。このメモリの出力信号をＭＰＥＧ復号器で復号する。ＭＰＥＧ復号器の出力信号はＧＯＰが分解されて映像フレーム単位の映像信号になっている。この信号列でＣＭ位置情報を利用して、ＣＭの映像フレームをスキップしてＤＡコンバータでアナログ信号に変換してからディスプレイに表示する。
このように、ＣＭ位置情報を利用することにより、完全にＣＭ情報を抑圧し、番組の本編だけで再生することが可能となる。【００１１】  先に、ＣＭ位置情報を利用したＣＭ抑圧再生の解決策を示した。上記の解決策でＤＡコンバータへの信号をＭＰＥＧ符号器に入力させることにより、その出力信号はＣＭカットのテレビ映像コンテンツを作製することが可能となる。
【発明の効果】
【００１２】  視聴者は定額の有償あるいは無償でＣＭ位置情報を放送局から取得することにより、一度以上、ＣＭ付きの番組を視聴した後はＣＭ無しの再生を享受することが可能となる。【００１３】  放送局はＣＭを観ないで録画再生することを回避することが可能となるため、スポンサーによるＣＭの確保が安定し、民間放送局の経営を盤石にすることが可能である。
また、視聴者からのＣＭ回避のためのＣＭ位置情報の有償提供により、収入の増加が見込まれることから、これにより、より良い番組の制作が可能となる。
さらに、視聴者がＣＭカットで視聴したい番組は視聴者が拘る人気番組の証であり、この情報を利用してより良い番組を制作する重要な情報となる。【００１４】  ビデオレコーダの製造メーカは本システムの実現により、視聴者を満足させることが可能になるとともに、ビデオレコーダの製品価値を高めることが可能になり、製品価格の上昇が期待できる。【００１５】  以上説明した本システムの実現により、従来からの放送局とビデオレコーダの製造メーカとの葛藤の問題を解決することが可能となる。
即ち、民間テレビ放送のＣＭカットに関連する民間放送局、スポンサー、視聴者、ビデオレコーダの製造メーカの４者がＷｉｎ−Ｗｉｎ−Ｗｉｎ−Ｗｉｎ（Ｗｉｎ４）の関係を築くことが可能となり、各プレイヤーの発展が期待できる。
【図面の簡単な説明】
【００１６】
【図１】は本発明システムの構成を示す。
【図２】は本発明システムにおいて、視聴者の動作の概要を示す。
【図３】は本発明システムにおいて、視聴者の動作の詳細動作フローを示す。
【図４】は本発明システムにおいて、視聴者がＣＭ位置情報を入手する場合のプロトコルを示す。
【図５】は本発明システムにおいて、テレビ番組のＧＯＰ、映像フレームの構造と処理を示す。
【図６】は本発明システムにおいて、テレビ番組のＣＭを抑圧するビデオレコーダの構成を示す。
【図７】は本発明システムにおいて、テレビ番組のＣＭをカットしてテレビ映像コンテンツを作成するビデオレコーダの構成を示す。
【発明明を実施するための形態】
【００１７】  図１には本発明システムの構成を示す。本システムは同図に示すように、１１民間放送局、１２ネットワーク、１３ホームから構成される。
通常の放送は民間放送局の１１１送信装置から１２１放送ネットワークに対してテレビ番組を送信し、１３ホームは放送ネットワークから３１４テレビ受像アンテナ等を介して１３１テレビ受像機でテレビ番組を受像する。それとともに、視聴するテレビ映像番組を１３２ビデオレコーダに録画する。
また、視聴者はＰＣを利用して、ＣＭカットを希望するテレビ番組を視聴したことの証を示すため、民間放送局の１１２メディアサーバからのクイズ問題に回答することにより有償あるいは無償でＣＭ情報を取得する。
取得したＣＭ位置情報をＰＣからビデオレコーダに転送する。視聴者は取得したＣＭ位置情報を利用して、ＣＭを抑圧してテレビ映像番組を視聴することができる。
また、視聴者は取得したＣＭ位置情報を利用して、ＣＭをカットしたテレビ映像コンテンツを作製することができる。
【００１８】  図２には本発明システムにおいて、種々の形態での視聴者の動作の概要を示す。
図２（ａ）は２１１視聴者がテレビを視聴しながら録画し、さらに、２１２視聴者は取得したＣＭ位置情報を利用して、ＣＭを抑圧してテレビ映像番組を視聴する形態を示している。
図２（ｂ）は２２１視聴者がテレビを録画し、後で２２２再生しながら視聴する。さらに視聴者は２２３取得したＣＭ位置情報を利用して、ＣＭを抑圧してテレビ映像番組を視聴する形態を示している。
図２（ｃ）は視聴者が２３１テレビを視聴しながら録画し、さらに、視聴者は２３２取得したＣＭ位置情報を利用して、ＣＭをカットしてＣＭ無しのテレビ映像コンテンツを作製する形態を示している。
図２（ｄ）は視聴者が２４１テレビを録画し、後で２４２再生しながら視聴する。さらに視聴者は２４３取得したＣＭ位置情報を利用して、ＣＭをカットしてテレビ映像コンテンツを作製する形態を示している。
【実施例１】
【００１９】  図３（ａ）（ｂ）には本発明に関連するＣＭ抑圧録画再生の流れを示す。
この内、図３（ａ）は民間放送のデジタルテレビ放送を視聴しながら録画しておく場合の動作フローである。即ち、３１１テレビ番組を観ながらビデオレコーダに録画する。次に、３１２家庭のＰＣを利用して民間放送局のＣＭ位置情報を入手する。その後、３１３入手したＣＭ位置情報をＰＣからビデオレコーダに転送する。そして、３１４ＣＭ位置情報を利用してＣＭを抑圧して再生する。
図３（ｂ）は民間放送のデジタルビデオ放送を視聴せずに録画しておく場合の動作フローである。即ち、３２１テレビ版番組を観ずにビデオレコーダに録画する。次に、ＣＭ位置情報を入手するために、一度以上、３２２ＣＭ付きの録画番組を視聴する。さらに、３２３家庭のＰＣを利用して民間放送局からＣＭ位置情報を入手する。その後、３２４入手したＣＭ位置情報をＰＣからビデオレコーダに転送する。そして、３２５ＣＭ位置情報を利用してＣＭを抑圧してテレビ番組を再生し視聴する。
図３（ｃ）は民間放送のデジタルテレビ放送を視聴しながら録画しておき、最終的にテレビ映像コンテンツを作成する場合の動作フローである。即ち、３３１テレビ番組を観ながらビデオレコーダに録画する。次に、３３２家庭のＰＣを利用して民間放送局のＣＭ位置情報を入手する。その後、３３３入手したＣＭ位置情報をＰＣからビデオレコーダに転送する。そして、３３４ＣＭ位置情報を利用してＣＭをカットしてテレビ映像コンテンツを作製する。
図３（ｄ）は民間放送のデジタルビデオ放送を視聴せずに録画しておき、最終的にテレビ映像コンテンツを作成する場合の動作フローである。即ち、３４１テレビ版番組を観ずにビデオレコーダに録画する。次に、ＣＭ位置情報を入手するために、一度以上、３４２ＣＭ付きの録画番組を視聴する。さらに、３４３家庭のＰＣを利用して民間放送局からＣＭ位置情報を入手する。その後、３４４入手したＣＭ位置情報をＰＣからビデオレコーダに転送する。そして、３４５ＣＭ位置情報を利用してＣＭをカットしてテレビ映像コンテンツを作製する。【００２０】  図４はＣＭ位置情報を取得する場合の家庭のＰＣと放送局のサーバとのプロトコルの例を示す。
まず、４１視聴者は住所、電話番号などの４３１視聴者ＩＤ情報を４２民間放送局サーバに提供する。これは繰り返し該サービスを利用する場合には視聴者ＩＤ番号で代替することが可能である。
視聴者ＩＤ情報を受け取った４２サーバは視聴者にビデオレコーダＩＤの情報を問い合わせ、４３２ビデオレコーダＩＤの情報を受け取る。
次に、４２サーバは４１視聴者に問合せ、４３３ＣＭ位置情報を入手したい番組の情報を得る。
その後、このようなＩＤ情報を受信した後は、視聴者が該テレビ番組をしたことを確認するため、４１視聴者に４３４番組の内容（本編、ＣＭ）に関するクイズ問題を視聴者に問い掛ける。これは例えば最低限観たことを確認するために種々のクイズを出すが、視聴者が他の視聴者からクイズの情報を得る可能性もあるため、種々用意しておくことが考えられる。また、ＣＭ情報の取得に低額（例えば５０円）のサービス料金を徴収することが考えられる。さらに、クイズ自体の娯楽性を増大させるために、難解なクイズに正解を与えた視聴者には無料でＣＭ位置情報を与えることも考えられる。このようにして４２サーバは４１視聴者から４３５該当番組クイズ回答を得る。
このように視聴者が番組を視聴したことを確認した後に、視聴者の４３６支払い条件を確認した後に４３７ＣＭ位置情報を提供する。このＣＭ位置情報にはビデオレコーダＩＤ情報が含まれており、視聴者のビデオレコーダでしか再生しないような仕組みとする。【００２１】  図５は一般的なデジタルテレビ放送において、テレビ番組のＧＯＰ、映像フレームの構造を示す。図５でＧＯＰはＧＯＰを、また、Ｆｒａｍｅは映像フレームを表している。また、各々、括弧で示している（Ｖ）はＧＯＰあるいは映像フレームの内容が本編であり、（Ｃ）はＧＯＰあるいは映像フレームの内容がＣＭであり、（Ｈ）はＧＯＰの内容が本編とＣＭが混在していることを示す。また、Ｓｔａｒｔ  ＧＯＰは番組の最初のＧＯＰ、Ｐａｕｓｅ  ＧＯＰは個々のＣＭの最初ＧＯＰ、Ｒｅｓｔａｒｔ  ＧＯＰはＣＭが終了し、本編が再開されるＧＯＰ、Ｓｔｏｐ  ＧＯＰは番組の最終のＧＯＰを示している。
デジタルテレビ放送ではＭＰＥＧ方式のような高能率符号化されており、複数の映像フレームに亘って符号変換されている。その場合、映像処理となる単位がＧＯＰであり、複数の映像フレームで構成される。地上デジタル放送の場合にはＭＰＥＧ２方式が採用されており、ＧＯＰは１５の映像フレームから構成されている。
テレビ放送では一般的に本編、ＣＭともに映像フレーム単位に構成されており、シーンチェンジ（含む本編とＣＭとのチェンジ）は映像フレーム単位であってＧＯＰ単位ではない。即ち、ＧＯＰとシーンチェンジとは同期していない。それ故、ＧＯＰには本編のみのＧＯＰ（以下、本編ＧＯＰという）、ＣＭのみのＧＯＰ（以下ＣＭ−ＧＯＰという）、および本編とＣＭが混在するＧＯＰ（以下、ハイブリッドＧＯＰ）の３種類のＧＯＰが存在することになる。一方、映像フレームに関しては本篇のみの映像フレームとＣＭのみの映像フレームの２種類の映像フレームが存在する。【００２２】  図６はテレビ番組のＣＭを抑圧再生するビデオレコーダの構成を示す。以下、両図を用いてそのメカニズムを説明する。
まず、ＣＭ抑圧の録画再生にいて、まずＧＯＰ単位の処理を行う。最初に６１１メモリ（ＨＤＤ，ＤＶＤ等）の出力信号と７２受信情報から得たＧＯＰ  Ｓｔａｒｔのパタンと照合によりＳｔａｒｔ  ＧＯＰを検出する。特に、ＧＯＰ  ＳｔａｒｔのパタンはＧＯＰ同期信号とともし映像コンテンツの最初の部分のパタンを含んでいるため、他の番組と混同することはない。これにより、該当する番組のＳｔａｒｔ  ＧＯＰを検出することが可能になる。
次に、高能率符号化の復号器に入力するに当たり、本編ＧＯＰとハイブリッドＧＯＰのみをメモリから読み出し、ＣＭ−ＧＯＰはすべてスキップする。即ち、６２受信情報から得られた情報をもとに、Ｓｔａｒｔ  ＧＯＰから最初のＣＭ−ＧＯＰまでメモリから出力する。そして、続くＣＭ−ＧＯＰをスキップし、次の最初の本編ＧＯＰあるいはハイブリッドＧＯＰから継続してメモリの内容を出力する。
このようにして、該当する放送番組の本編ＧＯＰとハイブリッドＧＯＰのみを出力し、ＣＭ−ＧＯＰはスキップすることになる。【００２３】  次に、図６でメモリのＧＯＰベースの出力信号は６１２ＭＰＥＧ  ＤＥＣで復号化され、デジタルＰＣＭ（Ｐｕｌｓｅ  Ｃｏｄｅ  Ｍｏｄｕｌａｔｉｏｎ）信号に変換される。
６１２ＭＰＥＧ  ＤＥＣで復号化されたデジタル映像信号は既にＧＯＰベースではなく、映像フレーム単位の信号列となっている。
６１２ＭＰＥＧ  ＤＥＣで復号化されたデジタル映像信号は６１３Ｄｅｃｏｄｅｄ  Ｆ−Ｍｅｍｏｒｙで選択的に入力される。即ち、フレーム単位の映像信号は本篇フレームとＣＭフレームの２種類である。そこで、６２受信情報から得られる６２３Ｈｙｂｒｉｄ  ＧＯＰのＣＭ削除の情報を利用して、本編フレームのみ６１３Ｄｅｃｏｄｅｄ  Ｆ−Ｍｅｍｏｒｙに選択的に入力する。【００２４】  さらに、図６で６１３Ｄｅｃｏｄｅｄ  Ｆ−Ｍｅｍｏｒｙに記憶したデジタル映像信号を順次読み出し、そのデジタル信号が６１４Ｄ／Ａ  Ｃｏｎｖｅｔｅｒでアナログ信号に変換された後に、ＦＰＤ（ディスプレイ）に表示される。
【実施例２】
【００２５】  次に、ＣＭ位置情報を利用してＣＭ部分をカットするとともに、再度、ＭＰＥＧ等の高能率符号化によってＣＭがない映像コンテンツを作成するとともに、視聴する場合の動作の詳細を説明する。動作の流れで前半部分は同じであるが、ＣＭ部分を抑圧して再生するのではなく、再度、高能率符号化を行い、ＣＭ無しの映像コンテンツを作製するものである。【００２６】  図３（ｃ）（ｄ）に本発明に関連するＣＭ無しのコンテンツ作製の場合の流れを示す。
この内、図３（ｃ）は民間放送のデジタルテレビ放送を視聴しながら録画しておく場合の動作フローである。即ち、テレビ番組を見ながらビデオレコーダに録画する。次に、家庭のＰＣを利用して民間放送局のＣＭ位置情報を入手する。その後、入手したＣＭ位置情報をＰＣからビデオレコーダに転送する。そして、ＣＭ位置情報を利用してＣＭを削除して映像コンテンツを作製するとともに、そのコンテンツの視聴することができる。
図３（ｄ）は民間放送のデジタルビデオ放送を視聴せずに録画しておく場合の動作フローである。即ち、テレビ版番組を観ずにビデオレコーダに録画する。次に、ＣＭ位置情報を入手するために、一度以上、ＣＭ付きの録画番組を視聴する。さらに、家庭のＰＣを利用して民間放送局からＣＭ位置情報を入手する。その後、入手したＣＭ位置情報をＰＣからビデオレコーダに転送する。そして、ＣＭ位置情報を利用してＣＭを削除して映像コンテンツを作製するとともに、該映像コンテンツを視聴することができる。【００２７】  ＣＭ無しの映像コンテンツを作製しながら視聴する場合のメカニズムを図７に示す。図７で、７１１メモリ（ＨＤＤ，ＤＶＤ等）から７１４Ｄ／Ａ  Ｃｏｎｖｅｒｔｅｒへの流れは図６と同じである。
違いは図７で７１３Ｄｅｃｏｄｅｄ  Ｆ−Ｍｅｍｏｒｙから記憶した情報を７１４Ｄ／Ａ  Ｃｏｎｖｅｒｔｅｒでアナログ信号に変換すると同時に、ＣＭ無しのデジタル映像信号をＭＰＥＧ  Ｅｎｃｏｄｅｒで再度高能率符号化し、新たなＧＯＰを構成したＣＭ無しのＭＰＥＧ映像信号に変換する。【００２８】  新たなＧＯＰを構成したＣＭ無しのＭＰＥＧ映像信号をメモリに記憶するが、その場合、その書き込みアドレスは以前と同じアドレス領域でもよいが、読み出しアドレスに上書きする形態も考えられる。この場合、ＣＭをカットしているため、一般的にＣＭ付きの映像信号に比べて情報量は削減されているからである。
【産業上の利用可能性】
【００２９】  本発明システムを適用することにより、従来の民間放送のテレビ番組に関するＣＭカットの問題で関係機関の不正常な関係を解決することができる。
これによって、民間放送のテレビ番組を中心とする映像コンテンツ業界が一層発展することが期待できる。
また、ビデオレコーダはＣＭカットに関する視聴者の要求を完璧に満たすことが可能となるとともに、ビデオレコーダ装置の付加価値を一層高めることが可能となる。これにより、ビデオレコーダ業界の一層の発展が期待できる。
【符号の説明】
【００３０】１１    民間放送局
１１１  民間放送局サーバ
１２    ネットワーク
１２１  放送ネットワーク
１３    ホーム
１３１  ＴＶ受像機
１３２  ビデオレコーダ
１３３  ＰＣ
２１１  テレビ放送番組を視聴しながら録画
２１２  準コンテンツとして録画・再生・視聴
２２１  放送番組の視聴・録画
２２２  準コンテンツとして視聴
３１１  民間放送テレビ番組を視聴しながら録画
３１２  ＣＭ位置情報をインターネット経由で民間放送局から取得
３１３  ＣＭ位置情報をＰＣからビデオレコーダに転送
３１４  ＣＭ位置情報を利用し、録画された映像情報を、ＣＭを抑圧して視聴
３２１  民間放送テレビ番組を録画
３２２  民間放送録画テレビ番組を視聴
３２３  ＣＭ位置情報をインターネット経由で民間放送局から取得
３２４  ＣＭ位置情報をＰＣからビデオレコーダに転送
３２５  ＣＭ位置情報を利用し、録画された映像情報を、ＣＭを抑圧して視聴
３３１  民間放送テレビ番組を視聴しながら録画
３３２  ＣＭ位置情報をインターネット経由で民間放送局から取得
３３３  ＣＭ位置情報をＰＣからビデオレコーダに転送
３３４  ＣＭ位置情報を利用し、録画されたテレビ映像番組を、ＣＭをカットして映像コンテンツを作成するとともに視聴
３４１  民間放送テレビ番組を録画
３４２  民間放送録画テレビ番組を視聴
３４３  ＣＭ位置情報をインターネット経由で民間放送局から取得
３４４  ＣＭ位置情報をＰＣからビデオレコーダに転送
３４５  ＣＭ位置情報を利用し、録画されたテレビ映像番組を、ＣＭをカットして映像コンテンツを作成するとともに視聴
４１    視聴者
４２    民間放送局サーバ
４３１〜４３７  視聴者と民間放送局サーバとの間の授受情報
５１    ＧＯＰ構造
５２    映像フレーム構造
６１１    メモリ（ＨＤＤ／ＤＶＤ等）
６１２    ＭＰＥＧ  Ｄｅｃｏｄｅｒ
６１３    Ｄｅｃｏｄｅｄ  Ｆ−Ｍｅｍｏｒｙ
６１４    Ｄ／Ａ  Ｃｏｎｖｅｒｔｅｒ
６２      ＭＰＥＧ  Ｅｎｃｏｄｅｒ
６２１    Ｓｔａｒｔ  ＧＯＰ情報
６２２    読出メモリＣｏｎｔｒｏｌ
６２３    Ｈｙｂｒｉｄ  ＧＯＰ  ＣＭカット
７１１    メモリ（ＨＤＤ／ＤＶＤ等）
７１２    ＭＰＥＧ  Ｄｅｃｏｄｅｒ
７１３    Ｄｅｃｏｄｅｄ  Ｆ−Ｍｅｍｏｒｙ
７１４    Ｄ／Ａ  Ｃｏｎｖｅｒｔｅｒ
７１５    ＭＰＥＧ  Ｅｎｃｏｄｅｒ
７２      受信情報
７２１    Ｓｔａｒｔ  ＧＯＰ情報
７２２    読出メモリＣｏｎｔｒｏｌ
７２３    Ｈｙｂｒｉｄ  ＧＯＰ  ＣＭカット
【図１】
2011250380.tif 000003
【図２（ａ）】
2011250380.tif 000004
【図２（ｂ）】
2011250380.tif 000005
【図２（ｃ）】
2011250380.tif 000006
【図２（ｄ）】
2011250380.tif 000007
【図３（ａ）】
2011250380.tif 000008
【図３（ｂ）】
2011250380.tif 000009
【図３（ｃ）】
2011250380.tif 000010
【図３（ｄ）】
2011250380.tif 000011
【図４】
2011250380.tif 000012
【図５】
2011250380.tif 000013
【図６】
2011250380.tif 000014
【図７】
2011250380.tif 000015